(57)【要約】携帯電子機器のバッテリの摩耗値を測定する方法が、履歴的なバッテリ状態データを用いてバッテリの実際容量Ｑactを推定するステップと、バッテリの設計容量Ｑdes及び推定したバッテリの実際容量Ｑactを用いてバッテリの摩耗値を測定するステップとを含む。コンピュータプログラムが、プロセッサによって実行されると、プロセッサが携帯電子機器のバッテリの摩耗値を測定する方法を実現するように構成されている。
2021519423.tif 000002
【特許請求の範囲】
【請求項１】
携帯電子機器のバッテリの摩耗値を測定する方法であって、
履歴的なバッテリ状態データを用いて、前記バッテリの実際容量Ｑactを推定するステップと、
前記バッテリの設計容量Ｑdes、及び前記推定した前記バッテリの前記実際容量Ｑactを用いて、前記バッテリの前記摩耗値を測定するステップと
を含む方法。
【請求項２】
前記バッテリの前記設計容量Ｑdesに前記携帯電子機器からアクセスするステップを含む、請求項１に記載の方法。
【請求項３】
前記携帯電子機器上にアプリケーションを配置して、前記バッテリの前記設計容量Ｑdesを前記携帯電子機器から抽出するステップを含む、請求項１または２に記載の方法。
【請求項４】
前記携帯電子機器のメモリからの、前記バッテリについての前記履歴的なバッテリ状態データにアクセスするステップを含む、請求項１〜３のいずれかに記載の方法。
【請求項５】
前記携帯電子機器のバッテリ状態記録ファイルからの、前記バッテリについての前記履歴的なバッテリ状態データにアクセスするステップを含む、請求項１〜４のいずれかに記載の方法。
【請求項６】
前記携帯電子機器が、アンドロイド（登録商標）マシュマロ（登録商標）バージョン６．０〜６．０１、アンドロイド（登録商標）ヌガー（登録商標）バージョン７．０〜７．１２、アンドロインド（登録商標）オレオ（登録商標）バージョン８．０〜８．１、またはアンドロイド（登録商標）Ｐバージョン９のようなアンドロイド（登録商標）オペレーティングシステムを含み、あるいは実行し、及び／または前記携帯電子機器が電話機を含む、請求項１〜５のいずれかに記載の方法。
【請求項７】
前記バッテリの前記摩耗値を出力する、例えば表示するステップを含む、請求項１〜６のいずれかに記載の方法。
【請求項８】
前記バッテリの前記摩耗値を記憶するステップを含む、請求項１〜７のいずれかに記載の方法。
【請求項９】
前記履歴的なバッテリ状態データが、時刻情報及びバッテリ充電状態情報を含む、請求項１〜８のいずれかに記載の方法。
【請求項１０】
前記時刻情報及び前記バッテリ充電状態情報を用いて１つ以上のバッテリ充電期間を識別するステップを含み、該バッテリ充電期間中に前記バッテリが充電されている、請求項９に記載の方法。
【請求項１１】
前記履歴的なバッテリ状態データが、前記バッテリ充電期間毎に複数の履歴的なバッテリ充電データ点を含み、前記履歴的なバッテリ充電データ点の各々が、時刻情報、バッテリ充電電流情報、及びバッテリ充電情報を含み、
前記時刻情報は相対的な時刻値またはタイムスタンプを含むことができ、
前記バッテリ充電電流情報は、前記バッテリに供給される充電電流の値を含むことができ、
前記バッテリ充電情報は、前記バッテリの前記実際容量Ｑactに対する比率値を含むことができ、該比率値は前記バッテリの前記実際容量Ｑactに対する割合または％比率として表現される、請求項１０に記載の方法。
【請求項１２】
前記１つ以上のバッテリ充電期間における各バッテリ充電期間内に１つ以上のバッテリ充電範囲を識別するステップを含む、請求項１１に記載の方法。
【請求項１３】
前記バッテリ充電範囲毎に、前記バッテリの前記実際充電容量Ｑactの推定値Ｑact(ｋ)を決定するステップを含み、ｋは、前記バッテリ充電範囲の各々に割り当てられる指標であり、当該バッテリ充電範囲内に生じる、前記バッテリの前記実際容量Ｑactに対する比率値の大小順に応じて割り当てられる、請求項１２に記載の方法。
【請求項１４】
全部の前記バッテリ充電範囲について、次式：
【数１】
2021519423.tif 000029
により前記バッテリの前記実際容量の推定値Ｑact(ｋ)の平均をとることによって、前記バッテリの前記実際容量Ｑactを推定するステップを含み、Ｎkは前記バッテリ充電範囲の総数である、請求項１３に記載の方法。
【請求項１５】
％比率の摩耗値Ｗpとして表現される前記バッテリの前記摩耗値を次式：
【数２】
2021519423.tif 000030
により決定するステップ、または、
小数の摩耗値として表現される前記バッテリの摩耗値Ｗfを次式：
【数３】
2021519423.tif 000031
により決定するステップを含み、
Ｑactは前記推定した前記バッテリの前記実際容量であり、Ｑdesは前記バッテリの前記設計容量である、請求項１４に記載の方法。
【請求項１６】
あらゆる共通のバッテリ充電範囲を識別するステップと、
あらゆる一意的なバッテリ充電範囲を識別するステップとを含み、
前記共通のバッテリ充電範囲内では、１つの前記バッテリ充電期間における前記バッテリの前記実際容量Ｑactに対する比率値が、他のいずれか１つ以上の前記バッテリ充電期間における前記バッテリの前記実際容量Ｑactに対する比率値とオーバーラップし、
前記一意的なバッテリ充電範囲内では、１つの前記バッテリ充電期間における前記バッテリの前記実際容量Ｑactに対する比率値のいずれも、他のいずれか１つ以上の前記バッテリ充電期間における前記バッテリの前記実際容量Ｑactに対する比率値とオーバーラップしない、請求項１３〜１５のいずれかに記載の方法。
【請求項１７】
前記共通のバッテリ充電範囲毎に、かつ当該共通のバッテリ充電範囲を共通に有する前記バッテリ充電期間毎に、前記バッテリの前記実際容量の推定値Ｑact(ｉ,ｋ)を次式：
Ｑact(ｉ,ｋ)＝ΔＱ(ｉ,ｋ)×１００／[ｐfinal(ｉ,ｋ)−ｐinitial(ｉ,ｋ)]
により決定するステップを含み、
ｐinitial(ｉ,ｋ)は、前記バッテリの前記実際容量に対する最初の比率値であり、ｉ番目の前記バッテリ充電期間中のｋ番目の前記バッテリ充電範囲内の先頭の％比率として表され、
ｐfinal(ｉ,ｋ)は、前記バッテリの前記実際容量に対する最後の比率値であり、ｉ番目の前記バッテリ充電期間中のｋ番目の前記バッテリ充電範囲内の最終の％比率として表され、
ΔＱ(ｉ,ｋ)は、ｉ番目の前記バッテリ充電期間中にｋ番目の前記バッテリ充電範囲全体にわたって前記バッテリに供給される全電荷である、請求項１６に記載の方法。
【請求項１８】
前記共通のバッテリ充電範囲毎に、かつ当該共通のバッテリ充電範囲を共通に有する前記バッテリ充電期間毎に、前記バッテリの前記実際容量の推定値Ｑact(ｉ,ｋ)を次式：
Ｑact(ｉ,ｋ)＝ΔＱ(ｉ,ｋ)／[ｆfinal(ｉ,ｋ)−ｆinitial(ｉ,ｋ)]
により決定し、
ｆinitial(ｉ,ｋ)は、前記バッテリの前記実際容量に対する最初の比率値であり、ｉ番目の前記バッテリ充電期間中のｋ番目の前記バッテリ充電範囲内の先頭の比率として表され、
ｆfinal(ｉ,ｋ)は、前記バッテリの前記実際容量に対する最後の比率値であり、ｉ番目の前記バッテリ充電期間中のｋ番目の前記バッテリ充電範囲内の最終の比率として表され、
ΔＱ(ｉ,ｋ)は、ｉ番目の前記バッテリ充電期間中にｋ番目の前記バッテリ充電範囲全体にわたって前記バッテリに供給される全電荷である、請求項１６に記載の方法。
【請求項１９】
前記共通のバッテリ充電範囲毎に、かつ当該共通のバッテリ充電範囲を共通に有する前記バッテリ充電期間毎に、ｉ番目の前記バッテリ充電期間中にｋ番目の前記バッテリ充電範囲全体にわたって前記バッテリに供給される前記全電荷ΔＱ(ｉ,ｋ)を決定するステップを含む、請求項１７または１８に記載の方法。
【請求項２０】
前記共通のバッテリ充電範囲毎に、かつ当該共通のバッテリ充電範囲を共通に有する前記バッテリ充電期間毎に、ｉ番目の前記バッテリ充電期間中にｋ番目の前記バッテリ充電範囲全体にわたって前記バッテリに供給される前記全電荷ΔＱ(ｉ,ｋ)を次式：
ΔＱ(ｉ,ｋ)＝Ｉavg(ｉ,ｋ)×Ｔ(ｉ,ｋ)
により決定するステップを含み、
Ｉavg(ｉ,ｋ)はｉ番目の前記バッテリ充電期間中にｋ番目の前記バッテリ充電範囲全体にわたって前記バッテリに供給される平均バッテリ充電電流であり、Ｔ(ｉ,ｋ)はｉ番目の前記バッテリ充電期間中のｋ番目の前記バッテリ充電範囲の継続時間であり、次式：
Ｔ(ｉ,ｋ)＝ｔfinal(ｉ,ｋ)−ｔinitial(ｉ,ｋ)
により決定され、ｔinitial(ｉ,ｋ)はｉ番目の前記バッテリ充電期間中のｋ番目の前記バッテリ充電範囲内の最初のバッテリ充電データ点に対応する相対的な時刻値またはタイムスタンプであり、ｔfinal(ｉ,ｋ)はｉ番目の前記バッテリ充電期間中のｋ番目の前記バッテリ充電範囲内の最後のバッテリ充電データ点に対応する相対的な時刻値またはタイムスタンプである、請求項１９に記載の方法。
【請求項２１】
前記共通のバッテリ充電範囲毎に、前記バッテリの前記実際容量の推定値Ｑact(ｉ,ｋ)の平均値を決定するステップを含み、該平均値は、当該共通のバッテリ充電範囲を共通に有する各前記バッテリ充電期間の全部にわたる平均値であり、これによりｋ番目の前記バッテリ充電範囲について次式：
【数４】
2021519423.tif 000032
により前記バッテリの前記実際容量Ｑactの改善された推定値Ｑact(ｋ)を提供し、∀ｉ∈ｉcomは、ｋ番目の前記バッテリ充電範囲を共通に有する前記バッテリ充電期間の全部にわたって式中の総和を実行するべきことを示し、Ｎicom(ｋ)は、ｋ番目の前記バッテリ充電範囲を共通に有する前記バッテリ充電期間の数である、請求項１７〜２０のいずれかに記載の方法。
【請求項２２】
前記一意的なバッテリ充電範囲毎に、前記バッテリの前記実際容量の推定値Ｑact(ｋ)を次式：
Ｑact(ｋ)＝ΔＱ(ｉ,ｋ)／[ｆfinal(ｉ,ｋ)−ｆinitial(ｉ,ｋ)]
により決定するステップを含み、
ｆinitial(ｉ,ｋ)は、前記バッテリの前記実際容量に対する最初の比率値であり、ｉ番目の前記バッテリ充電期間中のｋ番目の前記バッテリ充電範囲内の先頭の比率として表され、
ｆfinal(ｉ,ｋ)は、前記バッテリの前記実際容量に対する最後の比率値であり、ｉ番目の前記バッテリ充電期間中のｋ番目の前記バッテリ充電範囲内の最終の比率として表され、
ΔＱ(ｉ,ｋ)は、ｉ番目の前記バッテリ充電期間中にｋ番目の前記バッテリ充電範囲全体にわたって前記バッテリに供給される全電荷である、請求項１６〜２１のいずれかに記載の方法。
【請求項２３】
前記一意的なバッテリ充電範囲毎に、前記バッテリの前記実際容量の推定値Ｑact(ｋ)を次式：
Ｑact(ｋ)＝ΔＱ(ｉ,ｋ)×１００／[ｐfinal(ｉ,ｋ)−ｐinitial(ｉ,ｋ)]
により決定するステップを含み、
ｐinitial(ｉ,ｋ)は、前記バッテリの前記実際容量に対する最初の比率値であり、ｉ番目の前記バッテリ充電期間中のｋ番目の前記バッテリ充電範囲内の先頭の％比率として表され、
ｐfinal(ｉ,ｋ)は、前記バッテリの前記実際容量に対する最後の比率値であり、ｉ番目の前記バッテリ充電期間中のｋ番目の前記バッテリ充電範囲内の最終の％比率として表され、
ΔＱ(ｉ,ｋ)は、ｉ番目の前記バッテリ充電期間中にｋ番目の前記バッテリ充電範囲全体にわたって前記バッテリに供給される全電荷である、請求項１６〜２１のいずれかに記載の方法。
【請求項２４】
前記一意的なバッテリ充電範囲毎に、ｉ番目の前記バッテリ充電期間中にｋ番目の前記バッテリ充電範囲全体にわたって前記バッテリに供給される全電荷ΔＱ(ｉ,ｋ)を決定するステップを含む、請求項２２または２３に記載の方法。
【請求項２５】
前記一意的なバッテリ充電範囲毎に、ｉ番目の前記バッテリ充電期間中にｋ番目の前記バッテリ充電範囲全体にわたって前記バッテリに供給される全電荷ΔＱ(ｉ,ｋ)を次式：
ΔＱ(ｉ,ｋ)＝Ｉavg(ｉ,ｋ)×Ｔ(ｉ,ｋ)
により決定するステップを含み、
Ｉavg(ｉ,ｋ)はｉ番目の前記バッテリ充電期間中にｋ番目の前記バッテリ充電範囲全体にわたって前記バッテリに供給される平均バッテリ充電電流であり、Ｔ(ｉ,ｋ)はｉ番目の前記バッテリ充電期間中のｋ番目の前記バッテリ充電範囲の継続時間であり、次式：
Ｔ(ｉ,ｋ)＝ｔfinal(ｉ,ｋ)−ｔinitial(ｉ,ｋ)
により決定され、ｔfinal(ｉ,ｋ)はｉ番目の前記バッテリ充電期間中のｋ番目の前記バッテリ充電範囲内の最初のバッテリ充電データ点に対応する相対的な時刻値またはタイムスタンプであり、ｔinitial(ｉ,ｋ)は、ｉ番目の前記バッテリ充電期間中のｋ番目の前記バッテリ充電範囲内の最後のバッテリ充電データ点に対応する相対的な時刻値またはタイムスタンプである、請求項２４に記載の方法。
【請求項２６】
携帯電子機器のバッテリの摩耗値を測定する装置であって、該装置はプロセッサ及びメモリを具え、該メモリは、請求項１〜２５のいずれかに記載の方法を規定するコンピュータプログラムを記憶し、該プロセッサは、該コンピュータプログラムを実行して請求項１〜２５のいずれかに記載の方法を実現するように構成されている装置。
【請求項２７】
携帯電子機器のバッテリの摩耗値を測定するためのコンピュータプログラムであって、該コンピュータプログラムは、プロセッサによって実行されると、該プロセッサが請求項１〜２５のいずれかに記載の方法を実現するように構成されているコンピュータプログラム。
【請求項２８】
請求項２７に記載のコンピュータプログラムを含むデータ記憶媒体。
【発明の詳細な説明】
【技術分野】
【０００１】
本発明は、携帯（モバイル）電子機器のバッテリにおける摩耗値を測定する方法及び装置に関するものである。本発明はコンピュータプログラムにも関するものであり、このコンピュータプログラムは、プロセッサによって実行されると、携帯電子機器のバッテリにおける摩耗値を測定する方法を実現するように構成されている。本発明はさらに、こうしたコンピュータプログラムを含むデータ記憶媒体に関するものである。
【背景技術】
【０００２】
携帯電話市場では、バッテリ寿命が携帯電話の最も重要な特徴のうちの１つである、というのは、バッテリ寿命は、携帯電話の利用可能性、価格、顧客ベース及び転売の価値に影響を与え得るからである。
【０００３】
長期的に、バッテリの容量は減少する。科学的には、このことは摩耗（ウェア）レベルによって測定することができ、摩耗レベルは、元の設計充電容量から失われた実際の充電容量の比率として定義することができる。
【０００４】
携帯電話のバッテリの実際の充電容量は、物理的なバッテリテスタ（電池試験器）を用いてハードウェアにより測定することも知られている。こうした方法は通常、バッテリを携帯電話から取り外して放電及び充電サイクルを繰り返すことを含み、２、３時間を要し、要する時間及びバッテリを取り外す必要性の両方の点で不便である。
【発明の概要】
【発明が解決しようとする課題】
【０００５】
バッテリ消耗を測定することは、２０１８年現在で８０％超の市場占有率を示すアンドロイド（登録商標）機器にとって特に問題である。サムソン社はアンドロイド（登録商標）機器の主要な電話機製造業者であり、近年のサムソン社の電話機モデルの大部分は、物理的に試験するために取り外すことさえできないバッテリを有する。アンドロイド（登録商標）機器用の既知のバッテリ監視（モニタリング）アプリケーション／ソリューション（解決策）は、アプリケーションをインストールして、１回または複数回の充電サイクル中に機器上で実行することを必要とし、このことは２、３時間継続し得る。
【課題を解決するための手段】
【０００６】
本発明の好適例の態様によれば、モバイル電子機器のバッテリの摩耗値を測定する方法が提供され、この方法は：
履歴的なバッテリ状態データを用いて、バッテリの実際容量Ｑactを推定するステップと；
バッテリの設計容量Ｑdes、及び推定したバッテリの実際容量Ｑactを用いて、バッテリの摩耗値を測定するステップとを含む。
【０００７】
この方法は、バッテリの設計容量Ｑdesに携帯電子機器からアクセスするステップを含むことができる。
【０００８】
この方法は、携帯電子機器上にアプリケーションを配置して、バッテリの設計容量Ｑdesを携帯電子機器から抽出するステップを含むことができる。
【０００９】
この方法は、携帯電子機器のメモリからの、バッテリについての履歴的なバッテリ状態データにアクセスするステップを含むことができる。
【００１０】
この方法は、携帯電子機器のバッテリ状態記録（ログ）ファイルからの、バッテリについての履歴的なバッテリ状態データにアクセスするステップを含むことができる。
【００１１】
上記携帯電子機器は、アンドロイド（登録商標）オペレーティングシステムを含むこと、または実行することができる。
【００１２】
上記携帯電子機器は、アンドロイド（登録商標）マシュマロ（Marshmallow：登録商標）バージョン６．０〜６．０１、アンドロイド（登録商標）ヌガー（Nougat：登録商標）バージョン７．０〜７．１２、アンドロインド（登録商標）オレオ（Oreo：登録商標）バージョン８．０〜８．１、またはアンドロイド（登録商標）Ｐバージョン９を含むこと、または実行することができる。
【００１３】
上記携帯電子機器はサムソン社の機器を含むことができる。上記携帯電子機器は、サムソン社の電話機のような電話機を含むことができる。
【００１４】
上記方法は、バッテリの摩耗値を出力するステップ、例えば表示するステップを含むことができる。
【００１５】
上記方法は、バッテリの摩耗値を記憶するステップを含むことができる。
【００１６】
既知の従来技術の解決策とは異なり、本発明の方法は有効電荷を監視しなくてもよい。その結果、本発明の方法は、携帯電子機器を充電することをユーザに要求しないことができる。また、バッテリがフル充電状態である場合には、本発明の方法は、再充電の前に携帯電子機器が完全放電するのを待つことをユーザに要求しなくてもよい。これとは対照的に、本発明の方法は、既存のバッテリ状態記録からのデータを使用することができ、このデータはサムソン社のバッテリ使用ＵＩ（user interface：ユーザインタフェース）統計上に表示することもできる。このことは、本発明の方法が、サムソン社の携帯電子機器またはサムソン社の電話機のようなアンドロイド（登録商標）を実行する携帯電子機器のバッテリの摩耗を測定する既知の方法よりもずっと高速にすることができ、ずっと容易に使用することができることを意味する。
【００１７】
本発明の方法は、バッテリ摩耗をソフトウェア・レベルで、かつ２、３秒未満で測定するという課題を解決することができる。この方法は、携帯機器を、ＵＳＢ（universal serial bus：ユニバーサル・シリアルバス）を通して、適切なソフトウェアを実行中のマシンに差し込むことしか必要とせず、この方法は、バッテリの実際の充電容量を２、３秒未満で測定することができる。
【００１８】
本発明の方法は、専用のバッテリ試験ハードウェアを何ら必要としないことができる。本発明の方法は、バッテリを電話機から取り外すことをユーザに要求しなくてもよい。
【００１９】
本発明の方法は非常に高速にすることもできる。例えば、本発明の方法は２、３秒未満で実行することができ、取り外し不可能なバッテリを有する電話機の保証を無効にする高価なハードウェアを用いて２時間を要するのとは異なる。このことは、時間の節約により節約された大幅な収益に転換することができる。このことは、追加的なハードウェアまたは専用のオペレータ（操作員）の必要性を解消することができる。このことは、より良い体験をユーザに提供することができる。
【００２０】
本発明の方法は複数の用途を有することができる。例えば、本発明の方法はモバイル・プロセッサ（携帯機器用処理装置）環境で用いることができ、モバイル・プロセッサ環境では、電話機を検査して、部分的に残りのバッテリ寿命によって決まる転売価値を持たせる必要がある。本発明の方法を、携帯機器小売環境で用いて、顧客が自分のバッテリ（完全放電対摩耗）に問題があるか否かを確かめて、虚偽の報告及び追加的な診断による収益の損失を防止するために役立てることもできる。本発明の方法は携帯機器修理環境で用いることもでき、携帯機器修理環境では、本発明の方法がＮＦＦ（nanofiber framework：ナノファイバー集合体）を見出すのに役立つことができ、あるいは針刺しの問題において役立つことができる。本発明の方法は、顧客の自己診断ソリューションとして有用であり得る、というのは、本発明の方法は、最終顧客が、入店しなければならない前に自分自身のテストを実行することを可能にし、このため、顧客のサポート時間を節約して顧客満足度を増加させることができるからである。
【００２１】
本発明の方法は、バッテリ摩耗を測定する既知の方法よりも正確にすることができる、というのは、本発明の方法は過去の複数回の充電事象からのバッテリ充電状態データを利用するからである。
【００２２】
こうした履歴的なバッテリ状態データは、時刻情報及びバッテリ充電状態情報を含むことができる。
【００２３】
上記方法は、時刻情報及びバッテリ充電状態情報を用いてバッテリ充電期間を識別するステップを含むことができ、バッテリ充電期間中にバッテリが充電されている。
【００２４】
上記履歴的なバッテリ状態データは、複数の履歴的なバッテリ充電データ点をバッテリ充電期間毎に含むことができ、各履歴的なバッテリ充電データ点は、時刻情報、バッテリ充電電流情報、及びバッテリ充電情報を含む。
【００２５】
時刻情報は相対的な時刻値またはタイムスタンプを含むことができる。
【００２６】
バッテリ充電電流情報は、バッテリに供給される充電電流の値を含むことができる。
【００２７】
バッテリ充電情報は、バッテリの実際容量Ｑactに対する比率値を含むことができ、この比率値はバッテリの実際容量Ｑactに対する割合または％比率として表現される。
【００２８】
上記方法は、時刻情報及びバッテリ充電状態情報を用いて複数のバッテリ充電期間を識別するステップを含むことができ、バッテリ充電期間中にバッテリが充電されている。
【００２９】
上記方法は、上記１つ以上のバッテリ充電期間における各バッテリ充電期間内に１つ以上のバッテリ充電範囲を識別するステップを含むことができる。
【００３０】
上記方法は、バッテリ充電範囲毎に、バッテリの実際充電容量Ｑactの推定値Ｑact(ｋ)を決定するステップを含むことができ、ここにｋは各バッテリ充電範囲に割り当てられる指標であり、当該バッテリ充電範囲内に生じる、バッテリの実際容量Ｑactに対する比率値の大小順に応じて割り当てられる。
【００３１】
上記方法は、次式：
【数１】
2021519423.tif 000003
により、全部のバッテリ充電範囲についてバッテリの実際容量の推定値Ｑact(ｋ)の平均をとることによって、バッテリの実際容量Ｑactを推定するステップを含むことができ、ここにＮkはバッテリ充電範囲の総数である。携帯電子機器のバッテリの充電挙動は一般に非線形であることが知られており、バッテリ充電情報の測定の精度は、バッテリの実際容量の推定値Ｑact(ｋ)に対する比率値の範囲全体にわたって変動し得るものと考えられる。その結果、このように全部のバッテリ充電範囲についてバッテリの実際容量の推定値Ｑact(ｋ)の平均をとることによって、バッテリの実際容量Ｑactの推定値の精度を改善することができる、というのは、このことは、バッテリの実際容量Ｑactに対する比率値の範囲全体にわたって、バッテリ充電情報の精度のあらゆる変動を、平均をとって除くこと、あるいは低減することができるからである。バッテリ充電情報の測定の精度は、充電中の携帯電子機器の使用により変動し得ることも考えられる。このように全部のバッテリ充電範囲についてバッテリの実際容量の推定値Ｑact(ｋ)の平均をとることは、充電中の携帯電子機器の使用に伴うバッテリ充電情報の測定精度のあらゆる変動をなくすことに役立つこともでき、これによりバッテリの実際容量Ｑactの推定値の精度を改善することに役立つことができる。
【００３２】
上記方法は、％比率の摩耗値Ｗpとして表現されるバッテリの摩耗値を次式：
【数２】
2021519423.tif 000004
により決定するステップを含むことができ、ここに、Ｑactは推定したバッテリの実際容量であり、Ｑdesはバッテリの設計容量である。
【００３３】
上記方法は、小数の摩耗値として表現されるバッテリの摩耗値を次式：
【数３】
2021519423.tif 000005
により決定するステップを含むことができる。ここに、Ｑactは推定したバッテリの実際容量であり、Ｑdesはバッテリの設計容量である。
【００３４】
上記方法は、あらゆる共通のバッテリ充電範囲を識別するステップを含むことができ、共通のバッテリ充電範囲内では、１つのバッテリ充電期間におけるバッテリの実際容量Ｑactに対する比率値が、他のいずれか１つ以上のバッテリ充電期間におけるバッテリの実際容量Ｑactに対する比率値とオーバーラップ（重複）する。
【００３５】
上記方法は、あらゆる一意的なバッテリ充電範囲を識別するステップを含むことができ、一意的なバッテリ充電範囲内では、１つのバッテリ充電期間におけるバッテリの実際容量Ｑactに対する比率値のいずれも、他のいずれか１つ以上のバッテリ充電期間におけるバッテリの実際容量Ｑactに対する比率値とオーバーラップしない。
【００３６】
上記方法は、共通のバッテリ充電範囲毎に、かつ当該共通のバッテリ充電範囲を共通に有するバッテリ充電期間毎に、バッテリの実際容量の推定値Ｑact(ｉ,ｋ)を次式：
Ｑact(ｉ,ｋ)＝ΔＱ(ｉ,ｋ)／[ｆfinal(ｉ,ｋ)−ｆinitial(ｉ,ｋ)]
により決定するステップを含むことができ、
ここに、ｆinitial(ｉ,ｋ)は、バッテリの実際容量に対する最初の比率値であり、ｉ番目のバッテリ充電期間中のｋ番目のバッテリ充電範囲内の先頭の比率として表され；
ここに、ｆfinal(ｉ,ｋ)は、バッテリの実際容量に対する最後の比率値であり、ｉ番目のバッテリ充電期間中のｋ番目のバッテリ充電範囲内の最終の比率として表され；
ここに、ΔＱ(ｉ,ｋ)は、ｉ番目のバッテリ充電期間中にｋ番目のバッテリ充電範囲全体にわたってバッテリに供給される全電荷である。
【００３７】
上記方法は、共通のバッテリ充電範囲毎に、かつ当該共通のバッテリ充電範囲を共通に有するバッテリ充電期間毎に、バッテリの実際容量の推定値Ｑact(ｉ,ｋ)を次式：
Ｑact(ｉ,ｋ)＝ΔＱ(ｉ,ｋ)×１００／[ｐfinal(ｉ,ｋ)−ｐinitial(ｉ,ｋ)]
により決定するステップを含むことができ、
ここに、ｐinitial(ｉ,ｋ)は、バッテリの実際容量に対する最初の比率値であり、ｉ番目のバッテリ充電期間中のｋ番目のバッテリ充電範囲内の先頭の％比率として表され；
ここに、ｐfinal(ｉ,ｋ)は、バッテリの実際容量に対する最後の比率値であり、ｉ番目のバッテリ充電期間中のｋ番目のバッテリ充電範囲内の最終の％比率として表され；
ここに、ΔＱ(ｉ,ｋ)は、ｉ番目のバッテリ充電期間中にｋ番目のバッテリ充電範囲全体にわたってバッテリに供給される全電荷である。
【００３８】
上記方法は、共通のバッテリ充電範囲毎に、かつ当該共通のバッテリ充電範囲を共通に有するバッテリ充電期間毎に、ｉ番目のバッテリ充電期間中にｋ番目のバッテリ充電範囲全体にわたってバッテリに供給される全電荷ΔＱ(ｉ,ｋ)を決定するステップを含むことができる。
【００３９】
上記方法は、共通のバッテリ充電範囲毎に、かつ当該共通のバッテリ充電範囲を共通に有するバッテリ充電期間毎に、ｉ番目のバッテリ充電期間中にｋ番目のバッテリ充電範囲全体にわたってバッテリに供給される全電荷ΔＱ(ｉ,ｋ)を次式：
ΔＱ(ｉ,ｋ)＝Ｉavg(ｉ,ｋ)×Ｔ(ｉ,ｋ)
により決定するステップを含むことができ、
ここに、Ｉavg(ｉ,ｋ)はｉ番目のバッテリ充電期間中にｋ番目のバッテリ充電範囲全体にわたってバッテリに供給される平均バッテリ充電電流であり、Ｔ(ｉ,ｋ)はｉ番目のバッテリ充電期間中のｋ番目のバッテリ充電範囲の継続時間であり、次式：
Ｔ(ｉ,ｋ)＝ｔfinal(ｉ,ｋ)−ｔinitial(ｉ,ｋ)
により決定され、ここに、ｔinitial(ｉ,ｋ)はｉ番目のバッテリ充電期間中のｋ番目のバッテリ充電範囲内の最初のバッテリ充電データ点に対応する相対的な時刻値またはタイムスタンプであり、ｔfinal(ｉ,ｋ)はｉ番目のバッテリ充電期間中のｋ番目のバッテリ充電範囲内の最後のバッテリ充電データ点に対応する相対的な時刻値またはタイムスタンプである。
【００４０】
上記方法は、共通のバッテリ充電範囲毎に、かつ当該共通のバッテリ充電範囲を共通に有するバッテリ充電期間毎に、ｉ番目のバッテリ充電期間中にｋ番目のバッテリ充電範囲全体にわたってバッテリに供給される平均バッテリ充電電流Ｉavg(ｉ,ｋ)を決定するステップを含むことができる。
【００４１】
上記方法は、共通のバッテリ充電範囲毎に、かつ当該共通のバッテリ充電範囲を共通に有するバッテリ充電期間毎に、ｉ番目のバッテリ充電期間中にｋ番目のバッテリ充電範囲全体にわたってバッテリに供給される平均バッテリ充電電流Ｉavg(ｉ,ｋ)を次式：
【数４】
2021519423.tif 000006
により決定するステップを含むことができ、ここに、Ｉjはバッテリに供給されるバッテリ充電電流であり、ｊ番目の履歴的なバッテリ充電データ点に対応し、∀ｊ∈ｉ,ｋは、その総和をｉ番目のバッテリ充電期間中のｋ番目のバッテリ充電範囲内の履歴的なバッテリ充電データ点の全部にわたって実行するべきことを示し、Ｎj(ｉ,ｋ)は、ｉ番目のバッテリ充電期間中のｋ番目のバッテリ充電範囲内の履歴的なバッテリ充電データ点の総数である。
【００４２】
上記方法は、共通のバッテリ充電範囲毎に、かつ当該共通のバッテリ充電範囲を共通に有するバッテリ充電期間毎に、ｉ番目のバッテリ充電期間中にｋ番目のバッテリ充電範囲全体にわたってバッテリに供給される全電荷ΔＱ(ｉ,ｋ)を、このバッテリ充電期間中に共通のバッテリ充電範囲全体にわたってバッテリに供給される全電荷ΔＱ(ｉ,ｋ)を積分することによって決定するステップを含むことができる。
【００４３】
上記方法は、共通のバッテリ充電範囲毎に、かつ当該共通のバッテリ充電範囲を共通に有するバッテリ充電期間毎に、ｉ番目のバッテリ充電期間中にｋ番目のバッテリ充電範囲全体にわたってバッテリに供給される全電荷ΔＱ(ｉ,ｋ)を、次式：
【数５】
2021519423.tif 000007
により決定するステップを含むことができ、ここに
【数６】
2021519423.tif 000008
であり、ここに、ｔjはｊ番目の履歴的なバッテリ充電データ点に対応する相対的な時刻値またはタイムスタンプであり、Ｉjはｊ番目の履歴的なバッテリ充電データ点に対応してバッテリに供給されるバッテリ充電電流であり、∀ｊ∈ｉ,ｋは、その総和をｉ番目のバッテリ充電期間中のｋ番目のバッテリ充電範囲内の履歴的なバッテリ充電データ点の全部にわたって実行するべきことを示す。
【００４４】
上記方法は、共通のバッテリ充電範囲毎に、バッテリの実際容量の推定値Ｑact(ｉ,ｋ)の平均値を決定するステップを含むことができ、この平均値は、当該共通のバッテリ充電範囲を共通に有する各バッテリ充電期間の全部にわたる平均値であり、これによりｋ番目のバッテリ充電範囲について次式：
【数７】
2021519423.tif 000009
によりバッテリの実際容量Ｑactの改善された推定値Ｑact(ｋ)を提供し、ここに、∀ｉ∈ｉcomは、ｋ番目のバッテリ充電範囲を共通に有するバッテリ充電期間の全部にわたってこの総和を実行するべきことを示し、Ｎicom(ｋ)は、ｋ番目のバッテリ充電範囲を共通に有するバッテリ充電期間の数である。バッテリ充電情報の精度は、充電中の携帯電子機器の使用に伴って変動し得るものとも考えられる。このように、各共通のバッテリ充電範囲が共通する各バッテリ充電期間の全部にわたってバッテリの実際容量の推定値の平均をとることは、異なるバッテリ充電期間中の共通のバッテリ充電範囲内で充電中の携帯電子機器の使用に伴うバッテリ充電情報の測定値の精度のあらゆる変動をなくすことに役立つことができ、これによりバッテリの実際容量の推定値の精度を改善することに役立つことができる。
【００４５】
上記方法は、一意的なバッテリ充電範囲毎に、バッテリの実際容量の推定値Ｑact(ｋ)を次式：
Ｑact(ｋ)＝ΔＱ(ｉ,ｋ)／[ｆfinal(ｉ,ｋ)−ｆinitial(ｉ,ｋ)]
により決定するステップを含むことができ、
ここに、ｆinitial(ｉ,ｋ)は、バッテリの実際容量に対する最初の比率値であり、ｉ番目のバッテリ充電期間中のｋ番目のバッテリ充電範囲内の先頭の比率として表され；
ここに、ｆfinal(ｉ,ｋ)は、バッテリの実際容量に対する最後の比率値であり、ｉ番目のバッテリ充電期間中のｋ番目のバッテリ充電範囲内の最終の比率として表され；
ここに、ΔＱ(ｉ,ｋ)は、ｉ番目のバッテリ充電期間中にｋ番目のバッテリ充電範囲全体にわたってバッテリに供給される全電荷である。
【００４６】
上記方法は、一意的なバッテリ充電範囲毎に、バッテリの実際容量の推定値Ｑact(ｋ)を次式：
Ｑact(ｋ)＝ΔＱ(ｉ,ｋ)×１００／[ｐfinal(ｉ,ｋ)−ｐinitial(ｉ,ｋ)]
により決定するステップを含むことができ、
ここに、ｐinitial(ｉ,ｋ)は、バッテリの実際容量に対する最初の比率値であり、ｉ番目のバッテリ充電期間中のｋ番目のバッテリ充電範囲内の先頭の％比率として表され；
ここに、ｐfinal(ｉ,ｋ)は、バッテリの実際容量に対する最後の比率値であり、ｉ番目のバッテリ充電期間中のｋ番目のバッテリ充電範囲内の最終の％比率として表され；
ここに、ΔＱ(ｉ,ｋ)は、ｉ番目のバッテリ充電期間中にｋ番目のバッテリ充電範囲全体にわたってバッテリに供給される全電荷である。
【００４７】
上記方法は、一意的なバッテリ充電範囲毎に、ｉ番目のバッテリ充電期間中にｋ番目のバッテリ充電範囲全体にわたってバッテリに供給される全電荷ΔＱ(ｉ,ｋ)を決定するステップを含むことができる。
【００４８】
上記方法は、一意的なバッテリ充電範囲毎に、ｉ番目のバッテリ充電期間中にｋ番目のバッテリ充電範囲全体にわたってバッテリに供給される全電荷ΔＱ(ｉ,ｋ)を次式：
ΔＱ(ｉ,ｋ)＝Ｉavg(ｉ,ｋ)×Ｔ(ｉ,ｋ)
により決定するステップを含むことができ、
ここに、Ｉavg(ｉ,ｋ)はｉ番目のバッテリ充電期間中にｋ番目のバッテリ充電範囲全体にわたってバッテリに供給される平均バッテリ充電電流であり、Ｔ(ｉ,ｋ)はｉ番目のバッテリ充電期間中のｋ番目のバッテリ充電範囲の継続時間であり、次式：
Ｔ(ｉ,ｋ)＝ｔfinal(ｉ,ｋ)−ｔinitial(ｉ,ｋ)
により決定され、
ここに、ｔfinal(ｉ,ｋ)はｉ番目のバッテリ充電期間中のｋ番目のバッテリ充電範囲内の最初のバッテリ充電データ点に対応する相対的な時刻値またはタイムスタンプであり、ｔinitial(ｉ,ｋ)はｉ番目のバッテリ充電期間中のｋ番目のバッテリ充電範囲内の最後のバッテリ充電データ点に対応する相対的な時刻値またはタイムスタンプである。
【００４９】
上記方法は、一意的なバッテリ充電範囲毎に、ｉ番目のバッテリ充電期間中にｋ番目のバッテリ充電範囲全体にわたってバッテリに供給される平均バッテリ充電電流Ｉavg(ｉ,ｋ)を決定するステップを含むことができる。
【００５０】
上記方法は、一意的なバッテリ充電範囲毎に、ｉ番目のバッテリ充電期間中にｋ番目のバッテリ充電範囲全体にわたってバッテリに供給される平均バッテリ充電電流Ｉavg(ｉ,ｋ)を次式：
【数８】
2021519423.tif 000010
により決定するステップを含むことができ、ここに、Ｉjはバッテリに供給されるバッテリ充電電流であり、ｊ番目の履歴的なバッテリ充電データ点に対応し、∀ｊ∈ｉ,ｋは、その総和をｉ番目のバッテリ充電期間中のｋ番目のバッテリ充電範囲内の履歴的なバッテリ充電データ点の全部にわたって実行するべきことを示し、Ｎj(ｉ,ｋ)は、ｉ番目のバッテリ充電期間中のｋ番目のバッテリ充電範囲内の履歴的なバッテリ充電データ点の総数である。
【００５１】
上記方法は、一意的なバッテリ充電範囲毎に、ｉ番目のバッテリ充電期間中にｋ番目のバッテリ充電範囲全体にわたってバッテリに供給される全電荷ΔＱ(ｉ,ｋ)を、当該一意的なバッテリ充電範囲全体にわたってバッテリに供給される全電荷ΔＱ(ｉ,ｋ)を積分することによって決定するステップを含むことができる。
【００５２】
上記方法は、一意的なバッテリ充電範囲毎に、ｉ番目のバッテリ充電期間中にｋ番目のバッテリ充電範囲全体にわたってバッテリに供給される全電荷ΔＱ(ｉ,ｋ)を次式：
【数９】
2021519423.tif 000011
により決定するステップを含むことができ、ここに
【数１０】
2021519423.tif 000012
であり、ここに、ｔjはｊ番目の履歴的なバッテリ充電データ点に対応する相対的な時刻値またはタイムスタンプであり、Ｉjはｊ番目の履歴的なバッテリ充電データ点に対応してバッテリに供給されるバッテリ充電電流であり、∀ｊ∈ｉ,ｋは、その総和をｉ番目のバッテリ充電期間中のｋ番目のバッテリ充電範囲内の履歴的なバッテリ充電データ点の全部にわたって実行するべきことを示す。
【００５３】
本発明の１つの態様または好適例によれば、上記方法を実現するように構成された装置が提供される。
【００５４】
本発明の１つの態様または好適例によれば、携帯電子機器のバッテリの摩耗値を測定する装置が提供され、この装置はプロセッサ及びメモリを具え、このメモリは上記方法を規定するコンピュータプログラムを記憶し、このプロセッサはこのプログラムを実行して上記方法を実現する。
【００５５】
このメモリは、測定した摩耗値を記憶するように構成することができる。
【００５６】
上記装置はディスプレイを具えることができ、このディスプレイは、上記方法により測定したバッテリの測定摩耗値を表示するように構成されている。
【００５７】
上記プロセッサは、上記プログラムを実行して、測定した摩耗値を携帯電子機器のメモリに記憶するように構成することができる。
【００５８】
上記プロセッサは、上記プログラムを実行して、測定した摩耗値を携帯電子機器のディスプレイ上に表示するように構成することができる。
【００５９】
上記プロセッサは、上記プログラムを実行して、測定した摩耗値を他の装置に伝達して、当該装置のメモリに記憶させること、あるいは当該装置のディスプレイ上に表示させることができる。
【００６０】
上記装置は、上記携帯電子機器から分離すること、上記携帯電子機器から独立すること、及び／または上記携帯電子機器から遠隔（リモート）の装置にすることができる。
【００６１】
上記装置は、携帯電子機器と通信するように構成することができる。
【００６２】
上記装置は、ＵＳＢケーブルのようなＵＳＢインタフェース越しに携帯電子機器と通信するように構成することができる。
【００６３】
本発明の１つの態様または好適例によれば、コンピュータプログラムが提供され、このコンピュータプログラムは、プロセッサで実行されると、上記方法を実現するように構成されている。
【００６４】
本発明の１つの態様または好適例によれば、このコンピュータプログラムを含む記憶媒体が提供される。
【００６５】
携帯電子機器のバッテリの摩耗値を測定する装置及び方法を、非限定的なほんの一例として、添付した図面を参照しながら以下に説明する。
【図面の簡単な説明】
【００６６】
【図１】携帯電子機器、及びこの携帯電子機器のバッテリの摩耗値を測定する装置を示す図である。
【図２】図１の携帯電子機器のバッテリ状態記録ファイルの一般的な例を示す図である。
【図３】図１の携帯電子機器のバッテリにおける摩耗値を測定する方法を示す図である。
【図４】図３の方法のステップ２０８をより詳細に示す図である。
【図５】バッテリ状態記録ファイル内でオーバーラップする２つのバッテリ充電期間の例を示す図である。
【図６】１つのバッテリ充電期間内のバッテリ充電範囲全体にわたる、バッテリ充電電流対時刻の概略図である。
【発明を実施するための形態】
【００６７】
図面の詳細な説明
最初に図１を参照すれば、全体を１で示す装置が示され、この装置は、全体を１２で示す携帯電子機器のバッテリ１０の摩耗値を測定し、この携帯電子機器は、サムソン社の電話機のようなアンドロイド（登録商標）携帯電子機器とすることができる。
【００６８】
装置１は、メモリ２、コンピュータプログラム４、プロセッサ６、及びディスプレイ８を含み、コンピュータプログラム４はメモリ２に記憶され、プロセッサ６はコンピュータプログラム４を実行するように構成されている。
【００６９】
バッテリ１０に加えて、携帯電子機器１２はメモリ１４、プロセッサ１６、及びディスプレイ１８を含む。携帯電子機器１２は、アンドロイド（登録商標）オペレーティングシステム２０及びバッテリ１０の履歴的な状態データをさらに含み、この履歴的な状態データはバッテリ状態記録ファイル２２の形式でメモリ１４に記憶されている。
【００７０】
装置１及び携帯電子機器１２は、ＵＳＢ通信リンクまたはケーブルのような通信リンク３０経由で通信するように構成されている。
【００７１】
使用中には、装置１のプロセッサ６は、コンピュータプログラム４を実行して、携帯電子機器１２のバッテリ１０の摩耗値を測定する方法を実現する。具体的には、装置１のプロセッサ６は、携帯電子機器１２のプロセッサ１６と通信リンク３０経由で通信して、携帯電子機器１２のメモリ１４にアクセスして、バッテリ状態記録ファイル２２をメモリ１４から読み出す。以下により詳細に説明するように、装置１のプロセッサ６は、次に、携帯電子機器１２のバッテリ１０の摩耗値を、バッテリ状態記憶ファイル２２に含まれるデータに基づいて測定する。プロセッサ６はバッテリ１０の摩耗値を装置１のディスプレイ８中に表示する。それに加えて、あるいはその代わりに、プロセッサ６は、バッテリ１０の摩耗値を装置１のメモリ２に記憶すること、バッテリ１０の摩耗値を携帯電子機器１２のディスプレイ１８中に表示すること、及び／またはバッテリ１０の摩耗値を携帯電子機器１２のメモリに記憶することができる。それに加えて、あるいはその代わりに、プロセッサ６は、バッテリ１０の摩耗値を、例えばインターネット５０越しに中央データベースのような他の装置４０に伝達することができる。
【００７２】
図２に一般的なバッテリ状態記録ファイル２２の例を示し、バッテリ状態記録ファイル２２は履歴的なバッテリ状態データを含み、履歴的なバッテリ状態データは、第１バッテリ充電期間１０１に対応する第１組の履歴的なバッテリ充電データ点及び第２バッテリ充電期間１０２に対応する第２組の履歴的なバッテリ充電データ点を含む。
【００７３】
第１バッテリ充電期間１０１内の履歴的なバッテリ充電データ点の各々は、時刻情報及びそれに対応するバッテリ充電電流情報及びバッテリ充電情報を含む。時刻情報は、時間単位、分単位、及び秒単位の日時ｔstart1,...ｔj,...ｔfinish1として表現される相対的な時刻値またはタイムスタンプの形をとる。バッテリ充電電流情報は、それぞれの時刻ｔstart1,...ｔj,...ｔfinish1にバッテリに供給される、mA単位で表現される充電電流Ｉstart1,...Ｉj,...Ｉfinish1の絶対値を含む。バッテリ充電情報は、バッテリの実際充電容量Ｑactに対する比率値ｑstart1,...ｑj,...ｑfinish1を含み、これらの比率値は、それぞれの時刻ｔstart1,...ｔj,...ｔfinish1におけるバッテリの実際充電容量Ｑactに対する割合または％比率として表現される。
【００７４】
同様に、第２バッテリ充電期間１０２内の履歴的なバッテリ充電データ点の各々は、時刻情報及びそれに対応するバッテリ充電電流情報及びバッテリ充電情報を含む。時刻情報は、時間単位、分単位、秒単位の日時ｔstart2,...ｔj,...ｔfinish2として表現される相対的な時刻値またはタイムスタンプの形をとる。バッテリ充電情報は、バッテリの実際充電容量Ｑactに対する比率値ｑstart2,...ｑj,...ｑfinish2を含み、これらの比率値は、それぞれの時刻ｔstart2,...ｔj,...ｔfinish2におけるバッテリの実際充電容量Ｑactに対する割合または％比率として表現される。
【００７５】
バッテリ状態記録ファイル２２はバッテリ充電状態情報も含み、バッテリ充電状態情報は、例えば、バッテリ充電が開始された時点を示すバッテリ充電状態フラグ１１０、１１２、及びバッテリ充電が終了した時点を示すバッテリ充電状態フラグ１２０、１２２である。
【００７６】
実際のバッテリ状態記録ファイル２２が図２に示さない他の情報を含むことができること、あるいは実際のバッテリ状態記録ファイル２２が図２中に示すものとは異なるフォーマット（書式）で履歴的なバッテリ状態データ中に存在することができることは、当業者の理解する所である。
【００７７】
図３に、携帯電子機器１２のバッテリ１０の摩耗値を測定する方法２００を示す。方法２００はステップ２０２で開始され、ステップ２０２では、装置１のプロセッサ６が携帯電子機器１２からバッテリ１０の設計容量Ｑdesにアクセスする。具体的には、プロセッサ６はアプリケーションを携帯電子機器１２上に配置し、このアプリケーションはバッテリの設計容量Ｑdesを携帯電子機器１２から抽出して読み出す。
【００７８】
この方法はステップ２０４に進んで、プロセッサ６は、携帯電子機器１２のバッテリ状態記録ファイル２２からの履歴的なバッテリ状態データにアクセスする。
【００７９】
この方法はステップ２０６に進んで、プロセッサ６は、バッテリ充電状態フラグ１１０、１１２、１２０、１２２を用いて１つ以上のバッテリ充電期間を識別し、バッテリはバッテリ充電期間中に充電されている。
【００８０】
以下により詳細に説明するように、この方法はステップ２０８に進んで、プロセッサ６は、上記１つ以上のバッテリ充電期間における各バッテリ充電期間内の１つ以上のバッテリ充電範囲を識別し、バッテリ充電範囲毎にバッテリの実際充電容量Ｑactの推定値Ｑact(ｋ)を決定し、ここにｋは各バッテリ充電範囲に割り当てられる指標であり、当該バッテリ充電範囲内に生じる、バッテリの実際容量Ｑactに対する比率値の大小順に応じて割り当てられる。
【００８１】
ステップ２１０では、プロセッサ６が、次式：
【数１１】
2021519423.tif 000013
により、全部のバッテリ充電範囲についてバッテリの実際容量の推定値Ｑact(ｋ)の平均をとることによってバッテリの実際容量Ｑactを推定し、ここにＮkはバッテリ充電範囲の総数である。携帯電子機器のバッテリの充電挙動は一般に非線形であることが知られており、バッテリ充電情報の測定の精度は、バッテリの実際容量Ｑactに対する比率値の範囲全体にわたって変動し得るものと考えられる。その結果、このように全部のバッテリ充電範囲についてバッテリの実際容量の推定値Ｑact(ｋ)の平均をとることによって、バッテリの実際容量Ｑactの推定値の精度を改善することができる、といういのは、このことは、バッテリの実際容量Ｑactに対する比率値の範囲全体にわたって、バッテリ充電情報の精度のあらゆる変動を、平均をとって除くこと、あるいは低減することができるからである。バッテリ充電情報の測定の精度は、充電中の携帯電子機器の使用により変動し得ることも考えられる。このように全部のバッテリ充電範囲についてバッテリの実際容量の推定値Ｑact(ｋ)の平均をとることは、充電中の携帯電子機器の使用に伴うバッテリ充電情報の測定精度のあらゆる変動をなくすことに役立つこともでき、これによりバッテリの実際容量Ｑactの推定値の精度を改善することに役立つことができる。
【００８２】
ステップ２１２では、プロセッサ６が、％比率の摩耗値Ｗpとして表現されるバッテリの摩耗値を次式：
【数１２】
2021519423.tif 000014
により決定し、ここに、Ｑactは推定したバッテリの実際容量であり、Ｑdesはバッテリの設計容量である。
【００８３】
それに加えて、あるいはその代わりに、ステップ２１２では、プロセッサ６が、小数の摩耗値Ｗfとして表現されるバッテリの摩耗値を次式：
【数１３】
2021519423.tif 000015
により決定することができ、ここにＱactは推定したバッテリの実際容量であり、Ｑdesはバッテリの設計容量である。
【００８４】
図３の方法のステップ２０８を以下に図４及び５を参照しながら説明する。ステップ２２０では、プロセッサ６があらゆる共通のバッテリ充電範囲及びあらゆる一意的なバッテリ充電範囲を識別する。具体的には、プロセッサ６は：
あらゆる共通のバッテリ充電範囲を識別し、共通のバッテリ充電範囲内では、１つのバッテリ充電期間におけるバッテリの実際容量Ｑactに対する比率値が、他のいずれか１つ以上のバッテリ充電期間におけるバッテリの実際容量Ｑactに対する比率値とオーバーラップし、
あらゆる一意的なバッテリ充電範囲を識別し、一意的なバッテリ充電範囲内では、１つのバッテリ充電期間におけるバッテリの実際容量Ｑactに対する比率値のいずれも、他のいずれか１つ以上のバッテリ充電期間におけるバッテリの実際容量Ｑactに対する比率値とオーバーラップしない。
【００８５】
例えば、図５を参照すれば、次の２つのオーバーラップするバッテリ充電期間が示され：第１バッテリ充電期間中にはバッテリの実際容量Ｑactに対する比率値が０％から６０％までの範囲内であり、第２バッテリ充電期間中にはバッテリの実際容量Ｑactに対する比率値が３０％から９０％までの範囲内である。従って、プロセッサ６は次の３つのバッテリ充電範囲を識別する：
i. 第１バッテリ充電範囲であるバッテリ充電範囲１、バッテリの実際容量Ｑactに対する比率値が０％から３０％までの範囲内であり、第１バッテリ充電期間にとって一意的である；
ii. 第２バッテリ充電範囲であるバッテリ充電範囲２、バッテリの実際容量Ｑactに対する比率値が３０％から６０％までの範囲内であり、第１バッテリ充電期間と第２バッテリ充電期間とに共通する；
iii. 第３バッテリ充電範囲であるバッテリ充電範囲３、バッテリの実際容量Ｑactに対する比率値が６０％から９０％までの範囲内であり、第２バッテリ充電期間にとって一意的である。
【００８６】
再び図４を参照すれば、上記方法はステップ２２２に進み、プロセッサ６は、共通のバッテリ充電範囲（例えば、図５のバッテリ充電範囲２）毎に、かつ当該共通のバッテリ充電範囲を共通に有するバッテリ充電期間（例えば、図５の第１バッテリ充電期間及び第２バッテリ充電期間）毎に、バッテリの実際容量の推定値Ｑact(ｉ,ｋ)を次式：
Ｑact(ｉ,ｋ)＝ΔＱ(ｉ,ｋ)×１００／[ｐfinal(ｉ,ｋ)−ｐinitial(ｉ,ｋ)]
により決定し、
ここに、ｐinitial(ｉ,ｋ)は、バッテリの実際容量に対する最初の比率値であり、ｉ番目のバッテリ充電期間中のｋ番目のバッテリ充電範囲内の先頭の％比率として表され；
ここに、ｐfinal(ｉ,ｋ)は、バッテリの実際容量に対する最後の比率値であり、ｉ番目のバッテリ充電期間中のｋ番目のバッテリ充電範囲内の最終の％比率として表され；
ここに、ΔＱ(ｉ,ｋ)は、ｉ番目のバッテリ充電期間中にｋ番目のバッテリ充電範囲全体にわたってバッテリに供給される全電荷である。
【００８７】
図５に示す例については、１つだけの共通のバッテリ充電範囲、即ちバッテリ充電範囲２、及び２つのバッテリ充電期間、即ち第１及び第２バッテリ充電期間が存在する。従って、ステップ２２２ではプロセッサ６が次式：
ｐinitial(１,２)＝３０かつｐfinal(１,２)＝６０；及び
ｐinitial(２,２)＝３０かつｐfinal(２,２)＝６０
のものを決定することになる。
【００８８】
プロセッサ６は、共通のバッテリ充電範囲（例えば、図５のバッテリ充電範囲２）毎に、かつ当該共通のバッテリ充電範囲を共通に有するバッテリ充電期間（例えば、図５の第１及び第２バッテリ充電期間）毎に、ｉ番目のバッテリ充電期間中にｋ番目のバッテリ充電範囲全体にわたってバッテリに供給される全電荷ΔＱ(ｉ,ｋ)を次式：
ΔＱ(ｉ,ｋ)＝Ｉavg(ｉ,ｋ)×Ｔ(ｉ,ｋ)
により決定し、ここに、Ｉavg(ｉ,ｋ)はｉ番目のバッテリ充電期間中にｋ番目のバッテリ充電範囲全体にわたってバッテリに供給される平均バッテリ充電電流であり、Ｔ(ｉ,ｋ)はｉ番目のバッテリ充電期間中のｋ番目のバッテリ充電範囲の継続時間であり、次式：
Ｔ(ｉ,ｋ)＝ｔfinal(ｉ,ｋ)−ｔinitial(ｉ,ｋ)
により決定され、ここに、ｔinitial(ｉ,ｋ)はｉ番目のバッテリ充電期間中のｋ番目のバッテリ充電範囲内の最初のバッテリ充電データ点に対応する相対的な時刻値またはタイムスタンプであり、ｔfinal(ｉ,ｋ)はｉ番目のバッテリ充電期間中のｋ番目のバッテリ充電範囲内の最後のバッテリ充電データ点に対応する相対的な時刻値またはタイムスタンプである。
【００８９】
図５に示す例については、１つだけの共通のバッテリ充電範囲、即ちバッテリ充電範囲２が存在する。従って、図５に示す例については、プロセッサ６は、次式：
ΔＱ(１,２)＝Ｉavg(１,２)×Ｔ(１,２)
ΔＱ(２,２)＝Ｉavg(２,２)×Ｔ(２,２)
のものを決定し、ここに：
Ｉavg(１,２)は、バッテリ充電範囲２について第１バッテリ充電期間中のバッテリ充電データから決定される平均電流であり；
Ｔ(１,２)は、第１バッテリ充電期間中の時刻データからの、バッテリ充電範囲２に関連する継続時間であり；
Ｉavg(２,２)は、バッテリ充電範囲２について第２バッテリ充電期間中のバッテリ充電データから決定される平均電流であり；
Ｔ(２,２)は、第２バッテリ充電期間中の時刻データからの、バッテリ充電範囲２に関連する継続時間である。
【００９０】
プロセッサ６は、共通のバッテリ充電範囲毎に、かつ当該バッテリ充電範囲を共通に有するバッテリ充電期間毎に、ｉ番目のバッテリ充電期間中のｋ番目のバッテリ充電範囲全体にわたってバッテリに供給される平均バッテリ充電電流を、次式：
【数１４】
2021519423.tif 000016
により決定し、
ここに、Ｉjはバッテリに供給されるバッテリ充電電流であり、ｊ番目の履歴的なバッテリ充電データ点に対応し、∀ｊ∈ｉ,ｋは、その総和をｉ番目のバッテリ充電期間中のｋ番目のバッテリ充電範囲内の履歴的なバッテリ充電データ点の全部にわたって実行するべきことを示し、Ｎj(ｉ,ｋ)は、ｉ番目のバッテリ充電期間中のｋ番目のバッテリ充電範囲内の履歴的なバッテリ充電データ点の総数である。
【００９１】
図５に示す例については、１つだけの共通のバッテリ充電範囲、即ちバッテリ充電範囲２、及び２つのバッテリ充電期間、即ち第１及び第２バッテリ充電期間が存在する。プロセッサ６は、第１バッテリ充電期間中にバッテリ充電範囲２の全体にわたってバッテリに供給される平均バッテリ充電電流Ｉavg(１,２)を次式：
【数１５】
2021519423.tif 000017
により決定し、ここに、Ｉjはバッテリに供給されるバッテリ充電電流であり、ｊ番目の履歴的なバッテリ充電データ点に対応し、∀ｊ∈ｉ＝１,ｋ＝２は、その総和を１番目のバッテリ充電期間中のバッテリ充電範囲２内の履歴的なバッテリ充電データ点の全部にわたって実行するべきことを示し、Ｎj(１,２)は、１番目のバッテリ充電期間中のバッテリ充電範囲２内の履歴的なバッテリ充電データ点の総数である。
【００９２】
同様に、プロセッサ６は、第２バッテリ充電期間中にバッテリ充電範囲２の全体にわたってバッテリに供給される平均バッテリ充電電流Ｉavg(１,２)を次式：
【数１６】
2021519423.tif 000018
により決定し、ここに、Ｉjはバッテリに供給されるバッテリ充電電流であり、ｊ番目の履歴的なバッテリ充電データ点に対応し、∀ｊ∈ｉ＝２,ｋ＝２は、その総和を２番目のバッテリ充電期間中のバッテリ充電範囲２内の履歴的なバッテリ充電データ点の全部にわたって実行するべきことを示し、Ｎj(２,２)は、２番目のバッテリ充電期間中のバッテリ充電範囲２内の履歴的なバッテリ充電データ点の総数である。
【００９３】
図４に示すように、上記方法はステップ２２４に進み、プロセッサ６は、共通のバッテリ充電範囲毎に、バッテリの実際容量の推定値Ｑact(ｉ,ｋ)の平均値を決定し、この平均値は、当該共通のバッテリ充電範囲を共通に有する各バッテリ充電期間の全部にわたる平均値であり、これによりｋ番目のバッテリ充電範囲について次式：
【数１７】
2021519423.tif 000019
によりバッテリの実際容量Ｑactの改善された推定値Ｑact(ｋ)を提供し、ここに、∀ｉ∈ｉcomは、ｋ番目のバッテリ充電範囲を共通に有するバッテリ充電期間の全部にわたってこの総和を実行するべきことを示し、Ｎicom(ｋ)は、ｋ番目のバッテリ充電範囲を共通に有するバッテリ充電期間の数である。このように、各共通のバッテリ充電範囲を共通に有する各バッテリ充電期間の全部にわたってバッテリの実際容量の推定値の平均をとることは、異なるバッテリ充電期間中の共通のバッテリ充電範囲内で充電中の携帯電子機器の使用におけるあらゆる変動をなくすことに役立つことができ、これによりバッテリの実際容量の推定値の精度を改善することに役立つことができる。
【００９４】
図５に示す例については、１つだけの共通のバッテリ充電範囲、即ちバッテリ充電範囲２、及び２つのバッテリ充電期間が存在する。従って、図５に示す例については、ステップ２２４で、プロセッサ６がＱact(１,２)とＱact(２,２)との単純平均をとって、バッテリ充電範囲２についてバッテリの実際容量の推定値を次式：
【数１８】
2021519423.tif 000020
により決定する。
【００９５】
このように、異なるバッテリ充電期間についてバッテリ充電範囲全体にわたってバッテリ１０の実際容量の推定値の平均をとることは、充電中の携帯電子機器１２の使用におけるあらゆる変動をなくすことに役立ち、これによりバッテリ１０の実際容量の推定値の精度を改善することに役立つ。
【００９６】
図４のステップ２２６では、プロセッサ６が、一意的なバッテリ充電範囲毎に、バッテリの実際容量の推定値Ｑact(ｋ)を次式：
Ｑact(ｋ)＝ΔＱ(ｉ,ｋ)×１００／[ｐfinal(ｉ,ｋ)−ｐinitial(ｉ,ｋ)]
により決定し、
ここに、ｐinitial(ｉ,ｋ)は、バッテリの実際容量に対する最初の比率値であり、ｉ番目のバッテリ充電期間中のｋ番目のバッテリ充電範囲内の先頭の％比率として表され；
ここに、ｐfinal(ｉ,ｋ)は、バッテリの実際容量に対する最後の比率値であり、ｉ番目のバッテリ充電期間中のｋ番目のバッテリ充電範囲内の最終の％比率として表され；
ここに、ΔＱ(ｉ,ｋ)は、ｉ番目のバッテリ充電期間中にｋ番目のバッテリ充電範囲全体にわたってバッテリに供給される全電荷である。
【００９７】
図５に示す例については、２つの一意的なバッテリ充電範囲、即ちバッテリ充電範囲１及び３が存在する。従って、ステップ２２６はプロセッサ６に次式：
ｐinitial(１,１)＝０かつｐfinal(１,１)＝３０；及び
ｐinitial(２,３)＝６０かつｐfinal(２,３)＝９０
の決定をさせる。
【００９８】
プロセッサ６は、バッテリ充電範囲毎に、ｉ番目のバッテリ充電期間中のｋ番目のバッテリ充電範囲全体にわたってバッテリに供給される全電荷ΔＱ(ｋ)も次式：
ΔＱ(ｋ)＝Ｉavg(ｉ,ｋ)×Ｔ(ｉ,ｋ)
により決定し、ここに、Ｉavg(ｉ,ｋ)はｉ番目のバッテリ充電期間中のｋ番目のバッテリ充電範囲全体にわたってバッテリに供給される平均バッテリ充電電流であり、Ｔ(ｉ,ｋ)はｉ番目のバッテリ充電期間中のｋ番目のバッテリ充電範囲の継続時間であり、次式：
Ｔ(ｉ,ｋ)＝ｔfinal(ｉ,ｋ)−ｔinitial(ｉ,ｋ)
により決定され、ここに、ｔinitial(ｉ,ｋ)はｉ番目のバッテリ充電期間中のｋ番目のバッテリ充電範囲内の最初のバッテリ充電データ点に対応する相対的な時刻値またはタイムスタンプであり、ｔfinal(ｉ,ｋ)はｉ番目のバッテリ充電期間中のｋ番目のバッテリ充電範囲内の最後のバッテリ充電データ点に対応する相対的な時刻値またはタイムスタンプである。
【００９９】
図５に示す例については、２つの一意的なバッテリ充電範囲、即ちバッテリ充電範囲１及び３が存在する。従って、図５に示す例については、プロセッサ６が、１番目のバッテリ充電期間中にバッテリ充電範囲１の全体にわたってバッテリに供給される全電荷ΔＱ(１)を次式：
ΔＱ(１)＝Ｉavg(１,１)×Ｔ(１,１)
により決定し、２番目のバッテリ充電期間中にバッテリ充電範囲３の全体にわたってバッテリに供給される全電荷ΔＱ(３)を次式：
ΔＱ(３)＝Ｉavg(２,３)×Ｔ(２,３)
により決定する。
【０１００】
プロセッサ６は、一意的なバッテリ充電範囲毎に、ｉ番目のバッテリ充電期間中にｋ番目のバッテリ充電範囲全体にわたってバッテリに供給される平均バッテリ充電電流Ｉavg(ｉ,ｋ)を次式：
【数１９】
2021519423.tif 000021
により決定し、ここに、Ｉjはバッテリに供給されるバッテリ充電電流であり、ｊ番目の履歴的なバッテリ充電データ点に対応し、∀ｊ∈ｉ,ｋは、その総和をｉ番目のバッテリ充電期間中のｋ番目のバッテリ充電範囲内の履歴的なバッテリ充電データ点の全部にわたって実行するべきことを示し、Ｎj(ｉ,ｋ)は、ｉ番目のバッテリ充電期間中のｋ番目のバッテリ充電範囲内の履歴的なバッテリ充電データ点の総数である。
【０１０１】
図５に示す例については、２つの一意的なバッテリ充電範囲、即ちバッテリ充電範囲１及び３が存在し、バッテリ充電範囲１は第１バッテリ充電期間にとって一意的であり、バッテリ充電範囲３は第２バッテリ充電期間にとって一意的である。プロセッサ６は、一意的なバッテリ充電範囲１について、第１バッテリ充電期間中にバッテリ充電範囲１の全体にわたってバッテリに供給される平均バッテリ充電電流Ｉavg(１,１)を次式：
【数２０】
2021519423.tif 000022
により決定し、ここに、Ｉjはバッテリに供給されるバッテリ充電電流であり、ｊ番目の履歴的なバッテリ充電データ点に対応し、∀ｊ∈ｉ＝１,ｋ＝１は、その総和を第１バッテリ充電期間中のバッテリ充電範囲１内の履歴的なバッテリ充電データ点の全部にわたって実行するべきことを示し、Ｎj(１,１)は、第１バッテリ充電期間中のバッテリ充電範囲１内の履歴的なバッテリ充電データ点の総数である。
【０１０２】
同様に、プロセッサ６は、一意的なバッテリ充電範囲３について、第２バッテリ充電期間中にバッテリ充電範囲３の全体にわたってバッテリに供給される平均バッテリ充電電流Ｉavg(２,３)を次式：
【数２１】
2021519423.tif 000023
により決定し、ここに、Ｉjはバッテリに供給されるバッテリ充電電流であり、ｊ番目の履歴的なバッテリ充電データ点に対応し、∀ｊ∈ｉ＝２,ｋ＝３は、その総和を第２バッテリ充電期間中のバッテリ充電範囲３内の履歴的なバッテリ充電データ点の全部にわたって実行するべきことを示し、Ｎj(２,３)は、第２バッテリ充電期間中のバッテリ充電範囲３内の履歴的なバッテリ充電データ点の総数である。
【０１０３】
図３に示すステップ２１０に戻れば、図５に示す例については、プロセッサ６が、次式：
【数２２】
2021519423.tif 000024
により、全部のバッテリ充電範囲ｋ＝１、２及び３についてバッテリの実際容量の推定値Ｑact(ｋ)の平均をとることによって、バッテリの実際容量Ｑactを推定する。
【０１０４】
携帯電子機器１２のバッテリ１０の充電挙動は一般に非線形であることが知られており、バッテリ充電情報の測定の精度は、バッテリの実際容量Ｑactに対する比率値の範囲全体にわたって変動し得るものと考えられる。その結果、このようにバッテリ充電範囲の全部についてバッテリ１０の実際容量の推定値Ｑact(ｋ)の平均をとることによって、バッテリ１０の実際容量Ｑactの推定値の精度を改善することができる、というのは、このことは、バッテリの実際容量Ｑactに対する比率値の範囲全体にわたって、バッテリ充電情報の精度のあらゆる変動を、平均をとって除くこと、あるいは低減することができるからである。バッテリ充電情報の測定の精度は、充電中の携帯電子機器の使用により変動し得ることも考えられる。このように全部のバッテリ充電範囲についてバッテリの実際容量の推定値Ｑact(ｋ)の平均をとることは、充電中の携帯電子機器１２の使用に伴うバッテリ充電情報の測定精度のあらゆる変動をなくすことに役立つこともでき、これによりバッテリの実際容量Ｑactの推定値の精度を改善することに役立つことができる。
【０１０５】
添付した特許請求の範囲によって規定される本発明の範囲から逸脱することなしに、上述した装置及び方法を変更することができることは、当業者にとって明らかである。例えば、バッテリの実際容量に対する比率値が小数として表現される場合、プロセッサ６は、共通のバッテリ充電範囲毎に、かつ当該共通のバッテリ充電範囲を共通に有するバッテリ充電期間毎に、バッテリの実際容量の推定値Ｑact(ｉ,ｋ)を次式：
Ｑact(ｉ,ｋ)＝ΔＱ(ｉ,ｋ)／[ｆfinal(ｉ,ｋ)−ｆinitial(ｉ,ｋ)]
により決定することができ、
ここに、ｆinitial(ｉ,ｋ)は、バッテリの実際容量に対する最初の比率値であり、ｉ番目のバッテリ充電期間中のｋ番目のバッテリ充電範囲内の先頭の比率として表され；
ここに、ｆfinal(ｉ,ｋ)は、バッテリの実際容量に対する最後の比率値であり、ｉ番目のバッテリ充電期間中のｋ番目のバッテリ充電範囲内の最終の比率として表され；
ここに、ΔＱ(ｉ,ｋ)は、ｉ番目のバッテリ充電期間中にｋ番目のバッテリ充電範囲全体にわたってバッテリに供給される全電荷である。
【０１０６】
同様に、バッテリの実際容量に対する比率値が小数として表現される場合、プロセッサ６は、一意的なバッテリ充電範囲毎に、バッテリの実際容量の推定値Ｑact(ｋ)を次式：
Ｑact(ｋ)＝ΔＱ(ｉ,ｋ)／[ｆfinal(ｉ,ｋ)−ｆinitial(ｉ,ｋ)]
により決定することができ、
ここに、ｆinitial(ｉ,ｋ)は、バッテリの実際容量に対する最初の比率値であり、ｉ番目のバッテリ充電期間中のｋ番目のバッテリ充電範囲内の先頭の比率として表され；
ここに、ｆfinal(ｉ,ｋ)は、バッテリの実際容量に対する最後の比率値であり、ｉ番目のバッテリ充電期間中のｋ番目のバッテリ充電範囲内の最終の比率として表され；
ここに、ΔＱ(ｉ,ｋ)は、ｉ番目のバッテリ充電期間中にｋ番目のバッテリ充電範囲全体にわたってバッテリに供給される全電荷である。
【０１０７】
共通のバッテリ充電範囲毎に、かつ当該共通のバッテリ充電範囲を共通に有するバッテリ充電期間毎に平均電流を測定するのではなく、及びこの平均電流を用いてｉ番目のバッテリ充電期間中にｋ番目のバッテリ充電範囲全体にわたってバッテリに供給される全電荷ΔＱ(ｉ,ｋ)を測定するのではなく、プロセッサ６は、当該共通のバッテリ充電範囲毎に、かつ当該共通のバッテリ充電範囲を共通に有するバッテリ充電期間毎に、ｉ番目のバッテリ充電期間中にｋ番目のバッテリ充電範囲全体にわたってバッテリに供給される全電荷ΔＱ(ｉ,ｋ)を、当該バッテリ充電期間中に共通のバッテリ充電範囲全体にわたってバッテリに供給される充電電流を積分することによって測定することができる。例えば、図６を参照すれば、プロセッサ６は、当該共通のバッテリ充電範囲毎に、かつ当該共通のバッテリ充電範囲を共通に有するバッテリ充電期間毎に、ｉ番目のバッテリ充電期間中にｋ番目のバッテリ充電範囲全体にわたってバッテリに供給される全電荷ΔＱ(ｉ,ｋ)を、次式：
【数２３】
2021519423.tif 000025
により測定し、ここに
【数２４】
2021519423.tif 000026
であり、ここにｔjはｊ番目の履歴的なバッテリ充電データ点に対応する相対的な時刻値またはタイムスタンプであり、ここにＩjはｊ番目の履歴的なバッテリ充電データ点に対応してバッテリに供給されるバッテリ充電電流であり、ここに∀ｊ∈ｉ,ｋは、その総和をｉ番目のバッテリ充電期間中のｋ番目のバッテリ充電範囲内の履歴的なバッテリ充電データ点の全部にわたって実行するべきことを示す。
【０１０８】
同様に、一意的なバッテリ充電範囲毎に平均電流を測定するのではなく、及びこの平均電流を用いてｉ番目のバッテリ充電期間中にｋ番目のバッテリ充電範囲全体にわたってバッテリに供給される全電荷ΔＱ(ｉ,ｋ)を測定するのではなく、プロセッサ６は、一意的なバッテリ充電範囲毎に、ｉ番目のバッテリ充電期間中にｋ番目のバッテリ充電範囲全体にわたってバッテリに供給される全電荷ΔＱ(ｉ,ｋ)を、当該一意的なバッテリ充電範囲全体にわたってバッテリに供給される充電電流を積分することによって測定することができる。例えば、図６を参照すれば、プロセッサ６は、一意的なバッテリ充電範囲毎に、ｉ番目のバッテリ充電期間中にｋ番目のバッテリ充電範囲全体にわたってバッテリに供給される全電荷ΔＱ(ｉ,ｋ)を、次式：
【数２５】
2021519423.tif 000027
により測定することができ、ここに
【数２６】
2021519423.tif 000028
であり、ここにｔjはｊ番目の履歴的なバッテリ充電データ点に対応する相対的な時刻値またはタイムスタンプであり、ここにＩjはｊ番目の履歴的なバッテリ充電データ点に対応してバッテリに供給されるバッテリ充電電流であり、ここに∀ｊ∈ｉ,ｋは、その総和をｉ番目のバッテリ充電期間中のｋ番目のバッテリ充電範囲内の履歴的なバッテリ充電データ点の全部にわたって実行するべきことを示す。
【０１０９】
図５は２つのバッテリ充電期間を示しているが、バッテリ充電期間の数は２つよりも大きくすることも小さくすることもできることは、通常の当業者の理解する所である。同様に、図５は１つの共通のバッテリ充電範囲及び２つの一意的なバッテリ充電範囲を示しているが、共通のバッテリ充電範囲の数は１つよりも大きくすることも小さくすることもできること、及び一意的なバッテリ充電範囲数は２つよりも大きくすることも小さくすることもできることは、通常の当業者の理解する所である。
【図１】
2021519423.tif 000033
【図２】
2021519423.tif 000034
【図３】
2021519423.tif 000035
【図４】
2021519423.tif 000036
【図５】
2021519423.tif 000037
【図６】
2021519423.tif 000038
【国際調査報告】
2021519423.tif 000039
2021519423.tif 000040
2021519423.tif 000041